(57)【要約】  【課題】  従来、平ベルトを回転する硬貨回収機構は台間玉貸機に硬貨の回収と分別を連動して行うため、遊技施設の営業時間が１２時間であればその時間中連続して駆動され、電動機には長時間駆動しても焼損しない高価なものが必要であった。本発明は台間玉貸機に投入された硬貨の回収と硬貨の分別を分離した機構として問題を解決する。  【解決手段】  遊技機器から供給される複数種類の硬貨を金庫側に向けて水平方向に搬送する搬送装置の金庫側端部には、搬送装置で搬送された硬貨を受け入れる硬貨収容部を設け、この硬貨収容部の硬貨枚数又は量によって硬貨の排出制御を行ない、硬貨詰まりによる遊技時間の制限を少なくし、搬送装置の駆動用電動機を搬送が必要な硬貨があるときのみ駆動して、駆動用電動機の低廉化を図るものである。【選択図】    図７
2006285759.tif 000002
【特許請求の範囲】
【請求項１】
硬貨を用いる遊技機器から供給される複数種類の硬貨を金庫側に向けて水平方向に搬送する搬送装置を備え、前記搬送装置の前記金庫側端部には、前記搬送装置で搬送された硬貨を受け入れる硬貨収容部と、この硬貨収容部の硬貨を１枚ずつ水平状態で排出する排出装置と、この排出装置から排出される硬貨を種類別に分別する分別部を備えた硬貨処理装置を設け、前記排出装置の電動機の運転が、前記硬貨収容部に収容された硬貨の枚数又は量に基づき制御部によって制御されることを特徴とする硬貨回収処理装置。
【請求項２】
硬貨を用いる遊技機器から供給される複数種類の硬貨を金庫側に向けて水平方向に搬送する搬送装置を備え、前記搬送装置の前記金庫側端部には、前記搬送装置で搬送された硬貨を受け入れる硬貨収容部と、この硬貨収容部の底部に設けられて回転軸を中心とする同一円上に等間隔配置で複数種類の硬貨の１枚が水平状態で保持される大きさの硬貨分離孔が形成された払い出し盤の回転によって硬貨を１枚ずつ水平状態で排出する排出装置と、この排出装置から排出される硬貨を種類別に分別する分別部を備えた硬貨処理装置を設け、前記払い出し盤を駆動する電動機の運転が、前記硬貨収容部に収容された硬貨の枚数又は量に基づき制御部によって制御され、前記搬送装置の駆動用電動機は、搬送が必要な硬貨があるときは駆動され、この硬貨がないときは駆動されないよう制御部によって制御されることを特徴とする硬貨回収処理装置。
【請求項３】
前記分別部は、硬貨の直径の差によって分別するように大径硬貨は通り過ぎるが小径硬貨は落下する大きさの硬貨分別孔を形成した構成であり、前記搬送装置は電動機で回転するエンドレスベルトによって硬貨を搬送する機構であることを特徴とする請求項２に記載の硬貨回収処理装置。
【請求項４】
硬貨を用いる遊技機器から供給される複数種類の硬貨を金庫側に向けて水平方向に搬送する搬送装置を備え、前記搬送装置の前記金庫側端部には、前記搬送装置で搬送された硬貨を受け入れる硬貨収容部と、この硬貨収容部の底部に設けられて硬貨を１枚ずつ水平方向へ排出する排出装置と、この排出装置から排出される硬貨を種類別に分別する分別部を備えた硬貨処理装置を設け、前記分別部は、硬貨の直径の差によって分別するように大径硬貨は通り過ぎるが小径硬貨は落下する大きさの硬貨分別孔を形成した構成であり、前記排出装置は、前記硬貨収容部の底部のベース板の上で回転軸によって一方向へ回転するように設けられ同一円周上に等間隔配置で前記硬貨収容部内の硬貨が１枚ずつ水平状態に嵌り合う大きさの硬貨分離孔が形成された払い出し盤と、この払い出し盤を取り囲む壁の一部に形成した硬貨送出口を備え、この硬貨送出口の幅は固定部材とバネ付勢された可動部材との間に小径硬貨の直径よりも大であるが大径硬貨の直径よりも若干小の間隔に形成され、前記小径硬貨は前記硬貨送出口を略そのまま通り過ぎ、前記大径硬貨は前記バネ力に抗して前記可動部材を押し退けつつ通り過ぎ、前記払い出し盤を駆動する電動機の運転が、前記硬貨収容部に収容された硬貨の枚数又は量に基づき制御部によって制御されることを特徴とする硬貨回収処理装置。
【発明の詳細な説明】
【技術分野】
【０００１】
本発明は、パチンコ機等の遊技機の使用のために挿入される硬貨を搬送装置で搬送して金庫へ回収する硬貨回収処理装置に関する。
【背景技術】
【０００２】
先行技術として、遊技機に併設した台間玉貸機から投入された硬貨を水平方向へ搬送する平ベルトからなる硬貨回収機構により回収し、島端に設置した金庫に収納するものがある。この技術は、硬貨回収機構から送られる硬貨を硬貨均しローラで均し、この均された硬貨を左右一対の硬貨案内手段で案内し、その硬貨を硬貨選別機構で直径選別するように硬貨搬送手段で硬貨を搬送し、選別した硬貨をそれぞれ硬貨シュートから金庫へ導入するものである（例えば、特許文献１参照）。
【特許文献１】特開２００４−２１５３５号公報
【発明の開示】
【発明が解決しようとする課題】
【０００３】
この特許文献１のものは、硬貨均しローラと硬貨搬送手段のベルトの駆動は、硬貨回収機構の平ベルトによって回転する従動プーリによって回転駆動される仕組みであるため、硬貨回収機構の下流側にある硬貨均しローラ、硬貨案内手段、および硬貨選別機構の部分の精度を上げなければ、この部分で硬貨詰まりが生じ易くなる。また、硬貨回収機構から硬貨選別機構に至る全ての駆動部の停止が必要となり、硬貨回収ができなくなるため、台間玉貸機への硬貨投入を中止して遊技機での遊技を一時中止し、この硬貨詰まりを解消した後、再び遊技可能となるものであった。
【０００４】
また、特許文献１のものは、平ベルトを回転する硬貨回収機構は、台間玉貸機から投入された硬貨の回収と分別を連動して行うため、例えば遊技施設の営業時間が１２時間であれば、その時間中連続して駆動されることとなり、この駆動用電動機には、長時間駆動しても焼損しないような高価な電動機を採用しなければならなかった。
【０００５】
このような問題は、台間玉貸機に投入された硬貨の回収と硬貨の選別が、連動して行われる構成によるものであるため、本発明は、台間玉貸機に投入された硬貨の回収と硬貨の分別を分離した機構にすることにより、問題を解決する。そして、硬貨の回収と硬貨の選別を分離した場合にも、効果的な硬貨選別を行うことができるようにし、更に、硬貨回収の連続運転を回避して、安価な電動機の採用が可能な構成とする。
【０００６】
なお、本発明は、上記のような台間玉貸機に限らず、パチンコ機、パチスロ機、スロットマシン等の遊技機に直接硬貨を投入する場合のいずれでもよく、このように硬貨を用いる遊技機器から供給される複数種類の硬貨を金庫側に向けて水平方向に搬送する搬送装置と、この搬送された硬貨を種類別に分別する分別装置を備えた硬貨回収処理装置に関するものである。
【課題を解決するための手段】
【０００７】
第１発明の硬貨回収処理装置は、硬貨を用いる遊技機器から供給される複数種類の硬貨を金庫側に向けて水平方向に搬送する搬送装置を備え、前記搬送装置の金庫側端部には、前記搬送装置で搬送された硬貨を受け入れる硬貨収容部と、この硬貨収容部の硬貨を１枚ずつ水平状態で排出する排出装置と、この排出装置から排出される硬貨を種類別に分別する分別部を備えた硬貨処理装置を設け、前記排出装置の電動機の運転が、前記硬貨収容部に収容された硬貨の枚数又は量に基づき制御部によって制御されることを特徴とする。
【０００８】
第２発明の硬貨回収処理装置は、硬貨を用いる遊技機器から供給される複数種類の硬貨を金庫側に向けて水平方向に搬送する搬送装置を備え、前記搬送装置の前記金庫側端部には、前記搬送装置で搬送された硬貨を受け入れる硬貨収容部と、この硬貨収容部の底部に設けられて回転軸を中心とする同一円上に等間隔配置で複数種類の硬貨の１枚が水平状態で保持される大きさの硬貨分離孔が形成された払い出し盤の回転によって硬貨を１枚ずつ水平状態で排出する排出装置と、この排出装置から排出される硬貨を種類別に分別する分別部を備えた硬貨処理装置を設け、前記払い出し盤を駆動する電動機の運転が、前記硬貨収容部に収容された硬貨の枚数又は量に基づき制御部によって制御され、前記搬送装置の駆動用電動機は、搬送が必要な硬貨があるときは駆動され、この硬貨がないときは駆動されないよう制御部によって制御されることを特徴とする。
【０００９】
第３発明の硬貨回収処理装置は、第２発明において、硬貨の直径の差によって分別するように大径硬貨は通り過ぎるが小径硬貨は落下する大きさの硬貨分別孔を形成した構成であり、前記搬送装置は電動機で回転するエンドレスベルトによって硬貨を搬送する機構であることを特徴とする。
【００１０】
第４発明の硬貨回収処理装置は、硬貨を用いる遊技機器から供給される複数種類の硬貨を金庫側に向けて水平方向に搬送する搬送装置を備え、前記搬送装置の前記金庫側端部には、前記搬送装置で搬送された硬貨を受け入れる硬貨収容部と、この硬貨収容部の底部に設けられて硬貨を１枚ずつ水平方向へ排出する排出装置と、この排出装置から排出される硬貨を種類別に分別する分別部を備えた硬貨処理装置を設け、前記分別部は、硬貨の直径の差によって分別するように大径硬貨は通り過ぎるが小径硬貨は落下する大きさの硬貨分別孔を形成した構成であり、前記排出装置は、前記硬貨収容部の底部のベース板の上で回転軸によって一方向へ回転するように設けられ同一円周上に等間隔配置で前記硬貨収容部内の硬貨が１枚ずつ水平状態に嵌り合う大きさの硬貨分離孔が形成された払い出し盤と、この払い出し盤を取り囲む壁の一部に形成した硬貨送出口を備え、この硬貨送出口の幅は固定部材とバネ付勢された可動部材との間に小径硬貨の直径よりも大であるが大径硬貨の直径よりも若干小の間隔に形成され、前記小径硬貨は前記硬貨送出口を略そのまま通り過ぎ、前記大径硬貨は前記バネ力に抗して前記可動部材を押し退けつつ通り過ぎ、前記払い出し盤を駆動する電動機の運転が、前記硬貨収容部に収容された硬貨の枚数又は量に基づき制御部によって制御されることを特徴とする。
【発明の効果】
【００１１】
第１の発明は、硬貨を用いる遊技機器から供給される複数種類の硬貨は、搬送装置によって金庫側に向けて水平方向に搬送されるが、硬貨の種類を分別する部分は、この搬送装置とは分離した状態で動作する。このため、搬送装置は単に硬貨を水平方向へ搬送するだけとなり、簡素化された構成となって硬貨詰まりが生じ難くなり、安価であって、故障の少ないものとなる。また、硬貨分別も、連続運転にする必要がないため、電動機寿命も延び、安価な電動機の採用で十分となる。
【００１２】
第２の発明は、第１の発明の効果に加えて、前記硬貨収容部に収容された硬貨が所定数量になったとき払い出し盤を駆動する電動機が運転されるため、搬送装置も硬貨分別も、連続運転にする必要がないため、電動機寿命も延び、安価な電動機の採用で十分となる。
【００１３】
第３の発明は、硬貨は直径によって分別される機構を排出装置に連接して設けることができるため、可動部分がなく安価にして小型化に適したものとなる。
【００１４】
第４の発明は、大径硬貨は可動部材のバネ復帰によって強制的に弾き飛ばされるため、小径硬貨の落下箇所の先に大径硬貨のシュートを配置しても、高速分別に適したものとなり、分別機構の小型化に適したものとなる。
【発明を実施するための最良の形態】
【００１５】
本発明の硬貨回収処理装置は、硬貨を用いる遊技機器から供給される複数種類の硬貨を金庫側に向けて水平方向に搬送する搬送装置を備え、前記搬送装置の前記金庫側端部には、前記搬送装置で搬送された硬貨を受け入れる硬貨収容部を設け、この硬貨収容部に収容された硬貨の枚数又は量によってその硬貨の排出制御を行ない、硬貨詰まりによる遊技時間の制限を少なくし、更に、前記搬送装置の駆動用電動機を搬送が必要な硬貨があるときのみ駆動して、この駆動用電動機の低廉化を図るものである。本発明をパチスロ機に適用した場合について、以下に記載する。
【実施例１】
【００１６】
図１は本発明に係る両島タイプの遊技装置における硬貨搬送装置の配置平面図、図２は本発明に係る遊技装置を備えた遊技台の側面図、図３は本発明に係る硬貨回収処理装置の構成を説明する側面図、図４は本発明に係る硬貨搬送装置の構成を説明する平面図、図５は本発明に係る硬貨搬送装置の駆動部分を断面で示す説明図、図６は本発明に係る硬貨排出装置の構成を説明する正面図、図７は本発明に係る硬貨排出装置の構成を説明する側面図、図８は本発明に係る硬貨排出装置の払い出し盤と硬貨送出口部分の構成を示す平面図、図９は本発明に係る硬貨排出装置による硬貨払い出し動作の説明図、図１０は本発明に係る硬貨排出装置の払い出し盤部分の縦断側面図、図１１は本発明に係る硬貨分別部分の説明用斜視図である。
【００１７】
本発明の実施の形態を図に基づき説明する。１は遊技機であり、スロットマシンや、パチンコ機能とスロットマシン機能との併合であるパチスロ機等の遊技機を示す。２は複数種類の硬貨２００を用いる遊技機器の一つであり、紙幣や硬貨２００等を投入することによって遊技機１で使用する遊技媒体であるパチンコ玉や遊技メダルを貸し出すために、これらを払い出す。遊技機１がパチスロ機の場合は、遊技機器２は遊技メダルを払い出す遊技メダル貸機である。以下、遊技機器２を遊技メダル貸機として説明する。
【００１８】
遊技メダル貸機２は、遊技メダルの供給を受けるために挿入された複数種類の硬貨２００や紙幣や有価カード等の識別機能を有する識別装置と、前記遊技メダルの供給部等を備えている。遊技メダル貸機２は、単に貸機とも称するが、遊技機１相互間に配置されるため台間貸機とも称する。遊技機１の横に隣接するように貸機２が配置されて遊技島を形成し、遊技機１と貸機２は、１対１の対応でもよいが、図示のように、２台の遊技機１に対して１台の貸機２が対応する関係の配置でもよい。遊技機１と貸機２は、遊技装置の島の外観形成を整えるために同一高さに形成されている。
【００１９】
遊技メダル貸機２に許容される複数種類の投入硬貨２００は、例えば、１００円硬貨と５００円硬貨である。この二つの硬貨は、直径が相違する。以下、大径硬貨２００Ａを５００円硬貨とし、小径硬貨２００Ｂを１００円硬貨として説明する。ちなみに、５００円硬貨の直径は２６ｍｍであり、１００円硬貨の直径は２２．６ｍｍである。遊技機１の横に遊技媒体の貸機２が併設されて形成された遊技島の裏側には、貸機２へ投入された硬貨２００、即ち、大径硬貨２００Ａの５００円硬貨と、小径硬貨２００Ｂの１００円硬貨を遊技島の一端側に配置した金庫（硬貨収納庫ともいう）７００へ向けて水平方向に搬送するために、硬貨搬送装置５が配置されている。硬貨搬送装置５の搬送終端側である金庫７００側端部には、本発明に係る硬貨処理装置１００が設けられている。
【００２０】
硬貨搬送装置５は、基板５Ａに取り付けたハウジング５Ｂに収納された複数の歯車５２Ａ、５２Ｂ、５２Ｃからなる伝達機構５２を介して、基板５Ａに取り付けた電動機５１によって回転駆動される駆動ローラ５３と、従動ローラ５４との間に架け渡されたエンドレスベルト５０を備え、貸機２へ投入された硬貨２００（大径硬貨２００Ａの５００円硬貨と、小径硬貨２００Ｂの１００円硬貨）を水平方向に延びるエンドレスベルト５０の上辺５０Ａに載せて金庫７００側へ向けて搬送する。エンドレスベルト５０は、エンドレスベルト５０の上辺５０Ａを支える底壁５５Ａと、エンドレスベルト５０の左右両側に近接して立ち上がる側壁５５Ｂ、５５Ｂを形成したベルトハウジング５５によってカバーされた状態である。ベルトハウジング５５は基板５Ａと一体化して設けられ、駆動ローラ５３と従動ローラ５４は、左右の側壁５５Ｂ、５５Ｂによって回転可能に軸支持されている。
【００２１】
硬貨搬送装置５は、エンドレスベルト５０に所定のテンションを付与するために、駆動ローラ５３側と従動ローラ５４側とにそれぞれテンション機構５６、５７が設けられている。硬貨搬送装置５は、図示のように、一つの遊技島の長さに対応する長さの単一のエンドレスベルト５０によって硬貨搬送を行う構成でもよいが、これに代わって、短いエンドレスベルト５０とこれを駆動する電動機５１を有する単位搬送装置を直列に接続して、一つの遊技島の長さに対応する長さの硬貨搬送装置５を構成したものでもよい。
【００２２】
硬貨搬送装置５の電動機５１は、搬送に必要な硬貨２００があるときのみ運転するが、そのような硬貨がないときは運転しないようにして、電動機５１の長寿命化を図るものであり、これによって、長時間の連続運転に耐える高価な電動機を必要としないものである。そのため、硬貨搬送装置５の最上流側に位置する遊技メダル貸機２の硬貨２００が、硬貨搬送装置５の終端部に位置する金庫７００へ搬送されるのに十分な所定時間に亘って運転されるようにしている。このため、硬貨搬送装置５の途中に対応する遊技メダル貸機２の硬貨２００は、この時間によって確実に金庫７００へ搬送されると共に、硬貨搬送装置５の最上流側に位置する遊技メダル貸機２の硬貨２００も、この時間によって確実に金庫７００へ搬送される。もし、いずれの遊技メダル貸機２からも硬貨２００が硬貨搬送装置５へ供給されなければ、この時間の経過にて電動機５１は停止する。そして再び、いずれかの遊技メダル貸機２から硬貨２００が硬貨搬送装置５へ供給されたときには、電動機５１は運転される。このような制御は、制御部によって行われる。
【００２３】
この制御の一つの方式として、いずれかの遊技メダル貸機２に硬貨２００の投入があったときや、いずれかの遊技メダル貸機２から硬貨搬送装置５へ硬貨２００が供給されたときをセンサで検出し、この検出に基づき、制御部によって電動機５１を運転する。そして上記の所定時間が経過しないうちに、再びいずれかの遊技メダル貸機２に硬貨２００が投入されてこのセンサでの検出があれば、制御部はリセットされて再び時間カウントが行なわれ、このカウントが上記所定時間に達したとき、制御部によって電動機５１が停止するように制御することができる。
【００２４】
硬貨処理装置１００は、搬送装置５で搬送された硬貨２００（大径硬貨２００Ａの５００円硬貨と、小径硬貨２００Ｂの１００円硬貨）を受け入れる硬貨収容部２１と、この硬貨収容部２１の底部に設けられてこれらの硬貨２００を１枚ずつ水平方向へ排出する排出装置２０と、この排出装置２０から排出される硬貨２００を大径硬貨２００Ａの５００円硬貨と、小径硬貨２００Ｂの１００円硬貨の種類別に分別する硬貨分別部３００を備えている。硬貨処理装置１００は、その取り付け部を搬送装置５に結合しており、実施例では基板５Ａ又はベルトハウジング５５の左右の側壁５５Ｂ、５５Ｂの取り付け部５５Ｂ１にネジ６０によって結合している。
【００２５】
排出装置２０は、上面開口へ向けて広がった形状の硬貨収容部２１の底部に設けられ、硬貨収容部２１の底部ベース板２２の上で回転軸２３によって一方向へ回転するように設けられた払い出し盤２４と、この払い出し盤２４を取り囲む円形状壁２５の一部に形成した硬貨送出口２６を備えている。払い出し盤２４を取り囲む円形状壁２５は、ベース板２２の上面に形成している。払い出し盤２４を駆動する電動機装置２７は、電動機２８とこの電動機２８の回転によって回転する複数の歯車の組み合わせからなる伝達装置２９とからなり、この伝達装置２９によって回転軸２３が回転駆動される。
【００２６】
払い出し盤２４は、同一円周上に等間隔配置で硬貨収容部２１内の硬貨２００が１枚ずつ水平状態に嵌り合う大きさの硬貨分離孔２４Ａを備え、回転中心部には山形で硬貨収容部２１内に向けて上方へ突出した硬貨攪拌部２４Ｂが形成された合成樹脂製である。各硬貨分離孔２４Ａは、上側の入り口は大径硬貨２００Ａの５００円硬貨と、小径硬貨２００Ｂの１００円硬貨のいずれも、その硬貨の１個が若干の余裕をもって平坦状に嵌り込む大きさの円形状孔であり、その裏側は図示のように、硬貨分離孔２４Ａに入った硬貨２００が、後述のように、硬貨送出口２６へ向けて移動可能なように、円形状壁２５に向けて符号２４Ｃのように曲線状に開いた形状をしている。
【００２７】
硬貨送出口２６の左右幅は、小径硬貨２００Ｂである１００円硬貨の直径よりも大であるが、大径硬貨２００Ａである５００円硬貨の直径よりも若干小の間隔に形成されるように、小径硬貨２００Ｂの１００円硬貨は硬貨送出口２６を略そのまま通り過ぎるが、大径硬貨２００Ａの５００円硬貨はこの硬貨送出口２６を押し広げながら通り過ぎる構成である。その一つの構成として、払い出し盤２４を取り囲む円形状壁２５に一部が一方の役目を果たす固定部材２６Ｂと、この固定部材２６Ｂに対向配置のバネ付勢された可動部材２６Ａとの間に、小径硬貨２００Ｂの直径よりも大であるが大径硬貨２００Ａの直径よりも若干小の間隔の硬貨送出口２６が形成されている。可動部材２６Ａは、ベース板２２に取り付けた軸２６Ａ１によって回転自在に支持され、硬貨送出口２６側の先端にはローラ２６Ａ２が回転可能に軸支され、他端部はベース板２２に取り付けたコイルバネ２６Ａ３によって、硬貨送出口２６を狭める方向へ付勢されている。
【００２８】
このようにして、硬貨送出口２６の幅は、固定部材２６Ｂと可動部材２６Ａの先端のローラ２６Ａ２との間の寸法に保たれ、このときの硬貨送出口２６の幅は、小径硬貨２００Ｂの直径よりも若干大であるが大径硬貨２００Ａの直径よりも若干小の間隔である。この構成によって後述のように、小径硬貨２００Ｂはローラ２６Ａ２に当接しても硬貨送出口２６を略そのまま通り過ぎるが、大径硬貨２００Ａは、硬貨送出口２６の幅を広げるようにバネ２６Ａ３の力に抗して可動部材２６Ａを押し退けつつ通り過ぎるように動作する。なお、固定部材２６Ｂは、円形状壁２５の一部である場合と、後述の硬貨分別部３００の一部である場合、又は円柱やローラ等の別部材で形成した場合のいずれでもよい。また、可動部材２６Ａの先端のローラ２６Ａ２は省略した形態でもよい。
【００２９】
硬貨分別部３００は、硬貨２００の直径の差によって分別するように、大径硬貨２００Ａは通り過ぎるが小径硬貨２００Ｂは落下する大きさの硬貨分別孔３０１を形成した構成である。硬貨分別部３００で分別された小径硬貨２００Ｂは、硬貨分別孔３０１から落下して、導入樋（シュート）４０１を通って金庫７００の小径硬貨収納部へ導入される。また、硬貨分別孔３０１を通り過ぎた大径硬貨２００Ａは、導入樋（シュート）４０２を通って金庫７００の大径硬貨収納部へ導入される。この導入樋（シュート）４０１と４０２には、それぞれ通過する硬貨をカウントするためのセンサ４０３と４０４が設けられている。このセンサ４０３と４０４は、それぞれ発光素子とこれに対向した受光素子との構成である光センサ構成である。小径硬貨２００Ｂと大径硬貨２００Ａが、このセンサ４０３と４０４を通過するごとに、制御部のカウンタ部が動作して金庫７００へ収納される硬貨枚数を種類別にカウントする仕組みである。
【００３０】
硬貨収容部２１には、その中に蓄積される硬貨２００が所定レベルに達したことを検出するセンサが設けられている。このセンサは、硬貨収容部２１に収容された硬貨２００の枚数又は量を検出し、この検出によって前記制御部が動作するように、発光素子２１Ａとこれに対向した受光素子２１Ｂとの構成である光センサ構成である。このため、一つの制御方式として、硬貨収容部２１の中に蓄積される硬貨２００の量が所定レベルに達して、発光素子２１Ａから受光素子２１Ｂへの光路を所定時間以上遮った場合、例えば２秒以上遮った場合には、前記制御部によって排出装置２０の電動機２８が始動するように動作する制御方式がある。硬貨収容部２１に蓄積できる硬貨２００の枚数は約４００枚であるが、上記所定レベルとは、硬貨収容部２１の中に硬貨２００が蓄積されて増えてゆくとき、その数が約２００枚にまで達したとき、発光素子２１Ａから受光素子２１Ｂへの光路を所定時間以上遮るようになるレベルである。また、他の制御方式として、搬送装置５から硬貨収容部２１の中に落下する硬貨２００が、発光素子２１Ａから受光素子２１Ｂへの光路を遮るごとに、前記制御部のカウンタ部によってカウントし、その数が所定カウント（例えば２００カウント）に達したとき、前記制御部によって排出装置２０の電動機２８が始動するように動作する制御方式とすることもできる。
【００３１】
ベース板２２の上面には、硬貨送出口２６に対応した内側位置において、硬貨分離孔２４Ａの回転軌跡上に間隔を存して配置した一対の送出案内ピン２７Ａ、２７Ｂが設けられている。このため、払い出し盤２４の下面は、この送出案内ピン２７Ａ、２７Ｂが衝突しないように、ベース板２２との間に回転軸２３を中心とした円形の空間がある。
【００３２】
上記のようにして、排出装置２０の電動機２８は前記制御部の動作に基づき始動し、払い出し盤２４が回転する。この払い出し盤２４の回転によって、硬貨収容部２１の硬貨２００は硬貨攪拌部２４Ｂで攪拌されつつ硬貨分離孔２４Ａに横に倒れた水平状態で入り、その硬貨２００は払い出し盤２４の回転によって送出口２６に対応したとき、周縁部が送出案内ピン２７Ａ、２７Ｂに順次衝突して硬貨分離孔２４Ａから送出口２６側へ誘導され、図９に示すように硬貨分離孔２４Ａの回転後側の曲線状の押し出し部２４Ｃによって送出口２６へ押し出される。
【００３３】
このように送出口２６へ押し出される硬貨２００は、払い出し盤２４の回転に伴って硬貨分別部３００へ移動する。このとき、小径硬貨２００Ｂはローラ２６Ａ２に当接しても硬貨送出口２６を略そのまま通り過ぎて、硬貨分別孔３０１から落下して、導入樋（シュート）４０１を通って金庫７００の小径硬貨収納部へ導入される。また、大径硬貨２００Ａは、硬貨送出口２６の幅を広げるようにバネ２６Ａ３の力に抗して可動部材２６Ａを押し退けつつローラ２６Ａ２を通り過ぎた時、バネ２６Ａ３によってローラ２６Ａ２が復帰するため、この作用力によって硬貨２００は硬貨送出口２６の外方、即ち、図９に示すように右方へ弾き飛ばされて硬貨分別孔３０１を通り過ぎる。この大径硬貨２００Ａは、導入樋（シュート）４０２を通って金庫７００の大径硬貨収納部へ導入される。このような動作が払い出し盤２４の回転によって連続して行われる。
【００３４】
払い出し盤２４の回転によって、硬貨収容部２１の硬貨２００がすべて払い出されたことの検知は、硬貨送出口２６から送出される硬貨２００によって光路が遮られる光センサを硬貨送出口２６に設け、このセンサを硬貨２００が通過した後、所定時間（例えば３秒）経過したとき排出装置２０の電動機２８を停止するように、前記制御部によって制御することができる。この場合の光センサは、発光素子２１Ａと受光素子２１Ｂと同様の作用を行う構成であればよい。また、他の方式として、センサ４０３を小径硬貨２００Ｂが通過した後、所定時間（例えば３秒）経過したとき、及びセンサ４０４を大径硬貨硬貨２００Ａが通過した後、所定時間（例えば３秒）経過したときの両方の条件が成立したとき（ＡＮＤ条件によって）、排出装置２０の電動機２８を停止するように、前記制御部によって制御することができる。
【００３５】
このように、払い出し盤２４を駆動する電動機２８の運転が、硬貨収容部２１に収容された硬貨２００の枚数又は量に基づき、前記制御部によって制御される構成であるため、排出装置２０は、硬貨収容部２１に所定量又は所定数の硬貨２００が蓄積されるまで硬貨排出動作を開始しないため、電動機２８の長寿命化に寄与する。
【産業上の利用可能性】
【００３６】
本発明は、上記実施形態に限定されず、本発明の技術的範囲を逸脱しない限り種々の変更が考えられ、それに係る種々の実施形態を包含するものである。
【図面の簡単な説明】
【００３７】
【図１】本発明に係る両島タイプの遊技装置における硬貨搬送装置の配置平面図である。（実施例１）
【図２】本発明に係る遊技装置を備えた遊技台の側面図である。（実施例１）
【図３】本発明に係る硬貨回収処理装置の構成を説明する側面図である。（実施例１）
【図４】本発明に係る硬貨回収処理装置の構成を説明する平面図である。（実施例１）
【図５】本発明に係る硬貨搬送装置の駆動部分を断面で示す説明図である。（実施例１）
【図６】本発明に係る硬貨排出装置の構成を説明する正面図である。（実施例１）
【図７】本発明に係る硬貨排出装置の構成を説明する側面図である。（実施例１）
【図８】本発明に係る硬貨排出装置の払い出し盤と硬貨送出口部分の構成を示す平面図である。（実施例１）
【図９】本発明に係る硬貨排出装置による硬貨払い出し動作の説明図である。（実施例１）
【図１０】本発明に係る硬貨排出装置の払い出し盤部分の縦断側面図である。（実施例１）
【図１１】本発明に係る硬貨分別部分の説明用斜視図である。（実施例１）
【符号の説明】
【００３８】
１・・・・遊技機
２・・・・遊技機器（遊技メダル貸機）
３・・・・薄片導入装置
５・・・・硬貨搬送装置
５Ａ・・・基板
５Ｂ・・・ハウジング
２０・・・排出装置
２１・・・硬貨収容部
２１Ａ・・発光素子
２１Ｂ・・受光素子
２２・・・ベース板
２３・・・回転軸
２４・・・払い出し盤
２４Ａ・・硬貨分離孔
２６・・・硬貨送出口
２７・・・電動機装置
２８・・・電動機
２９・・・伝達装置
５０・・・エンドレスベルト
５１・・・電動機
５２・・・伝達機構
５２Ａ，２５２Ｂ、５２Ｃ・・・歯車
５３・・・駆動ローラ
５４・・・従動ローラ
５５・・・ベルトハウジング
５４Ａ、５４Ｂ・・回転子
５５・・・ベルトハウジング
５６、５７・・・テンション機構
１００・・硬貨処理装置
２００・・硬貨
２００Ａ・・大径硬貨
２００Ｂ・・小径硬貨
３００・・・硬貨分別部
３０１・・・硬貨分別孔
４０１・・・小径硬貨導入樋（シュート）
４０２・・・大径硬貨導入樋（シュート）
４０３・・・センサ
４０４・・・センサ
７００・・・金庫
【図１】
2006285759.tif 000003
【図２】
2006285759.tif 000004
【図３】
2006285759.tif 000005
【図４】
2006285759.tif 000006
【図５】
2006285759.tif 000007
【図６】
2006285759.tif 000008
【図７】
2006285759.tif 000009
【図８】
2006285759.tif 000010
【図９】
2006285759.tif 000011
【図１０】
2006285759.tif 000012
【図１１】
2006285759.tif 000013